(57)【特許請求の範囲】
【請求項１】
複数段に積層可能なサブハウジングと、
前記各サブハウジングの内部に設けられ、端子金具を収容可能なキャビティと、
前記各サブハウジングの外部に設けられ、前記サブハウジングの積層方向と交差する方向に突出し、前記サブハウジングが積層されることで手押し部を構成する突片とを備え、
前記手押し部を相手側ハウジングに向けて押圧することで、複数段に積層された前記サブハウジングが相手側ハウジングに嵌合されると共に、この嵌合に伴って前記端子金具と前記相手側ハウジングに設けられた相手側端子金具とが導通可能に接続されるジョイントコネクタであって、
前記各突片の合わせ面における一方側の面には識別突部が設けられ、同他方側の面には前記サブハウジングが正規に積層された場合に前記識別突部を内部に受け入れる識別凹部が設けられており、
最下段の前記サブハウジングに設けられた前記識別凹部は、最下段より上段側の全ての前記サブハウジングに設けられた前記識別突部を内部に受け入れ可能に設定されているジョイントコネクタ。
【請求項２】
前記識別突部及び前記識別凹部は、前記サブハウジングが正規に積層された状態で互いに積層方向に並んで配置されると共に、前記識別凹部は、前記識別突部の断面形状と適合する孔形状をなし、前記サブハウジングが正規に積層されなかった場合には、前記断面形状の向きが前記孔形状の向きと異なることで前記識別突部の突出端部が前記識別凹部の開口縁部に干渉する請求項１に記載のジョイントコネクタ。
【請求項３】
前記突片は前記サブハウジング毎に一対設けられると共に、前記識別突部及び前記識別凹部は、それぞれ所定の間隔を空けて一対設けられ、前記サブハウジングが正規に積層されなかった場合には、これらの識別突部及び識別凹部の間隔が互いに異なることで前記識別突部の突出端部が前記合わせ面における他方側の面に干渉する請求項１又は請求項２に記載のジョイントコネクタ。
【請求項４】
前記突片は、前記サブハウジングの後部において側方に張り出し形成されている請求項１ないし請求項３のいずれか一項に記載のジョイントコネクタ。
【発明の詳細な説明】
【技術分野】
【０００１】
本発明は、サブハウジングを複数段に積層させてなるジョイントコネクタに関する。
【背景技術】
【０００２】
この種のジョイントコネクタとしては、例えば下記特許文献１に記載のジョイントコネクタが知られている。このジョイントコネクタは、各段の側面に当接部と当接受部とを設けておき、ジョイントコネクタを構成する各サブハウジングが正規に積層された場合には、当接部と当接受部とが正規の組付け位置で当接して複数のサブハウジングが互いに整合して組み付けられるようになっている。
【０００３】
このジョイントコネクタでは、金型コストを削減させる等の理由からサブハウジングの側面に複数の当接部及び当接受部が形成された共通のサブハウジングを準備しておき、サブハウジングの積層工程時にサブハウジングが積層される段に応じて当接部及び当接受部を選択的に切除して加工する方法を採用している。
【特許文献１】特許第３４３３７９７号公報
【発明の開示】
【発明が解決しようとする課題】
【０００４】
しかしながら、複数段に積層されたサブハウジングを嵌合させる相手側ハウジングの大きさは一定であるため、サブハウジングの側面に当接部及び当接受部を設けてしまうと、端子金具を収容するキャビティの内壁が薄くなって全体として強度が低下してしまう。また、当接部及び当接受部の切除加工を行うことによる作業者への負担が大きくなると共に、当接部及び当接受部の切除位置を間違えて加工した場合にはサブハウジングを廃棄しなければならない等の問題があった。
本発明は上記のような事情に基づいて完成されたものであって、強度低下を招くことなくサブハウジングの誤積層を防いで積層作業を簡易にすることを目的とする。
【課題を解決するための手段】
【０００５】
本発明は、複数段に積層可能なサブハウジングと、各サブハウジングの内部に設けられ、端子金具を収容可能なキャビティと、各サブハウジングの外部に設けられ、サブハウジングの積層方向と交差する方向に突出し、サブハウジングが積層されることで手押し部を構成する突片とを備え、手押し部を相手側ハウジングに向けて押圧することで、複数段に積層されたサブハウジングが相手側ハウジングに嵌合されると共に、この嵌合に伴って端子金具と相手側ハウジングに設けられた相手側端子金具とが導通可能に接続されるジョイントコネクタであって、各突片の合わせ面における一方側の面には識別突部が設けられ、同他方側の面にはサブハウジングが正規に積層された場合に識別突部を内部に受け入れる識別凹部が設けられており、最下段のサブハウジングに設けられた識別凹部は、最下段より上段側の全てのサブハウジングに設けられた識別突部を内部に受け入れ可能に設定されている構成としたところに特徴を有する。
【０００６】
このような構成によると、サブハウジングが正規に積層された場合に識別突部が識別凹部の内部に受け入れられるようにしたから、サブハウジングの誤積層を防ぐことができる。また、既存構造である手押し部を利用して識別突部及び識別凹部を設けたから、識別突部及び識別凹部を別途設ける場合よりも小型化が可能である。さらに、手押し部を構成する突片をサブハウジングの外部に設けたから、キャビティの内壁が薄肉化することなく、ジョイントコネクタ全体としての強度低下を招くおそれがない。また、サブハウジングの積層段数を変更しても、最下段のサブハウジングを共通のサブハウジングとして使用することができる。
【０００７】
本発明の実施の態様として、以下の構成が好ましい。
識別突部及び識別凹部は、サブハウジングが正規に積層された状態で互いに積層方向に並んで配置されると共に、識別凹部は、識別突部の断面形状と適合する孔形状をなし、サブハウジングが正規に積層されなかった場合には、断面形状の向きが孔形状の向きと異なることで識別突部の突出端部が識別凹部の開口縁部に干渉する構成としてもよい。
【０００８】
このような構成によると、識別突部の断面形状の向きと識別凹部の孔形状の向きとが一致したときに識別突部が識別凹部の内部に受け入れられるから、サブハウジングの誤積層を防ぐことができる。また、例えば識別突部及び識別凹部を幅方向（積層方向及び嵌合方向の双方に交差する方向）に所定の間隔を空けて一対配置した場合には、これらの識別突部及び識別凹部の間隔を一定としたままこれらの識別突部及び識別凹部を積層方向に配置することができるから、ジョイントコネクタが幅方向に大型化するおそれがない。
【０００９】
突片はサブハウジング毎に一対設けられると共に、識別突部及び識別凹部は、それぞれ所定の間隔を空けて一対設けられ、サブハウジングが正規に積層されなかった場合には、これらの識別突部及び識別凹部の間隔が互いに異なることで識別突部の突出端部が合わせ面における他方側の面に干渉する構成としてもよい。
このような構成によると、一対の識別突部の間隔と一対の識別凹部の間隔とが一致したときに一対の識別突部がそれぞれ一対の識別凹部の内部に受け入れられるから、サブハウジングの誤積層を防ぐことができる。
【００１１】
突片は、サブハウジングの後部において側方に張り出し形成されている構成としてもよい。
このような構成によると、手押し部がジョイントコネクタの後部に形成されるから、相手側ハウジングとの嵌合の際に押し込み操作がしやすくなる。
【発明の効果】
【００１２】
本発明によれば、強度低下を招くことなく、サブハウジングの積層時における誤積層防止を簡易に行うことができる。
【発明を実施するための最良の形態】
【００１３】
＜実施形態１＞
本発明の実施形態１について図面を参照しながら説明する。
＜全体構成＞
本実施形態におけるジョイントコネクタ１０は、図１に示すように、中継コネクタ２０の後述する嵌合凹部２２に対して嵌合可能に設けられている。中継コネクタ２０の内部には、ワイヤハーネスＷに接続された端子金具４０が収容されており、中継コネクタ２０の両側に２つのジョイントコネクタ１０を嵌合すると、中継コネクタ２０の内部に設けられた中継端子（本発明の「相手側端子金具」の一例）２４と端子金具４０とが導通可能に接続されることで、２つのジョイントコネクタ１０に連なるワイヤハーネスＷ同士が電気的に接続される。ここで、前後方向とは、ジョイントコネクタ１０と中継コネクタ２０との嵌合方向を基準として互いの嵌合面側を前方とする。
【００１４】
ジョイントコネクタ１０の後部には、ジョイントコネクタ１０を中継コネクタ２０に嵌合させる際に押し込まれる手押し部１３が形成されている。この手押し部１３は幅方向両側に張り出す態様で一対設けられ、図２に示すように、両コネクタ１０，２０が正規に嵌合した状態では中継コネクタ２０の嵌合凹部２２の開口縁と対面するように設定されている。
【００１５】
＜ジョイントコネクタの構成＞
ジョイントコネクタ１０は合成樹脂製の積層ハウジング１１を有し、この積層ハウジング１１は６種類のサブハウジングＳ１，Ｓ２，Ｓ３，Ｓ４，Ｓ５，Ｓ６（以下「各サブハウジングＳ１〜Ｓ６」といい、略してサブハウジングＳという場合もある）を積層することにより構成されている。これらのサブハウジングＳは、正規に積層された状態において上段側から順に、第１サブハウジングＳ１、第２サブハウジングＳ２、第３サブハウジングＳ３、第４サブハウジングＳ４、第５サブハウジングＳ５、第６サブハウジングＳ６とされている。ここで、上下方向とは、各サブハウジングＳの積層方向を基準として第１サブハウジングＳ１側を上方とする。
【００１６】
第１サブハウジングＳ１には、両コネクタ１０，２０を正規嵌合状態に保持するロックアーム１２が設けられている。ロックアーム１２は、第１サブハウジングＳ１の上面前端から上方に立ち上がる基端部１２Ａと、この基端部１２Ａから後方に延びる片持ち状をなし、上下に撓み可能なアーム部１２Ｂとを備えている。アーム部１２Ｂの後端には、ロックアーム１２の解除操作を行うための解除操作部１２Ｃが設けられている。また、アーム部１２Ｂにおいて解除操作部１２Ｃのやや前方には、上方に突出する形態のロック突部１２Ｄが形成されている。
【００１７】
＜中継コネクタの構成＞
中継コネクタ２０は合成樹脂製の中継ハウジング（本発明の「相手側ハウジング」の一例）２１を有し、この中継ハウジング２１は前方と後方に開口する一対の嵌合凹部２２を備えている。中継ハウジング２１の内部には、両嵌合凹部２２間を仕切る中間壁２３が形成されている。この中間壁２３には、中継端子２４が一方の嵌合凹部２２から他方の嵌合凹部２２に向けて圧入されることにより固定されている。中継端子２４は、図５に示すように、幅方向に所定間隔を空けて３つ配置されている。また、中継端子２４は、図３に示すように、第２サブハウジングＳ２〜第６サブハウジングＳ６の各端子金具４０に対応して上下方向に５つのタブ状端子が配置されており、上下に隣り合う各タブ状端子は、互いに連結されて一体となっている。
【００１８】
中継ハウジング２１の上面には、嵌合凹部２２の内外を貫通する一対のロック孔２５が設けられている。このロック孔２５は、嵌合凹部２２の内部にジョイントコネクタ１０を嵌合させるに伴って嵌合凹部２２の内部からロック突部１２Ｄが嵌り込むようになっている。ロック突部１２Ｄは、ロック孔２５の内周面に係止することで正規嵌合した両コネクタ１０，２０を抜止状態に保持可能である。尚、中継ハウジング２１の側面には、機器側に固定された取り付けステー（図示せず）に取り付け固定するための固定部２６が設けられている。
【００１９】
＜各サブハウジングの構成＞
各サブハウジングＳは、図６に示すように、板状をなす本体部３０と、本体部３０の後部において幅方向両側に突出する突片３１とを備えている。第２サブハウジングＳ２〜第６サブハウジングＳ６の本体部３０は、前後方向に貫通し、幅方向に並んで配置された３つのキャビティ３２をそれぞれ備えており、これらのキャビティ３２の内部には、後方から端子金具４０を収容可能である。キャビティ３２内の側壁には、ランス３３が幅方向に撓み可能に形成されており、ランス３３が端子金具４０に幅方向から係止することで端子金具４０をキャビティ３２内に抜止状態に保持可能である。
【００２０】
第２サブハウジングＳ２〜第６サブハウジングＳ６の上面には、３つのキャビティ３２に共通のリテーナ挿入口３４が一括して貫通形成されている。３つのキャビティ３２は、リテーナ挿入口３４を通じてキャビティ３２の外部に連通している。一方、第１サブハウジングＳ１〜第５サブハウジングＳ５の下面には、各サブハウジングＳが正規に積層された場合にリテーナ挿入口３４を通じて３つのキャビティ３２内にそれぞれ進入する３つのリテーナ３５が形成されている。リテーナ３５は、キャビティ３２の内部において正規の挿入位置に挿入された端子金具４０の後端に係止することで、端子金具４０をキャビティ３２内に抜止状態に保持可能である。すなわち、端子金具４０は、ランス３３による係止と共にリテーナ３５による係止によって二重で抜止状態に保持される。
【００２１】
リテーナ３５の側壁とリテーナ挿入口３４の開口縁との間には、各サブハウジングＳを積層する際の嵌合力を低下させるために所定のクリアランスが設定されている。しかしながら、このクリアランスが設けられているために、各サブハウジングＳは前後方向にずれが生じてしまう。この結果、例えば最下段の第６サブハウジングＳ６のみを押し込んで両コネクタ１０，２０の嵌合を行うと、上段側に向かうにつれて後方に位置ずれした姿勢となり、最上段の第１サブハウジングＳ１においてはロックアーム１２によるロックがかからなくなるという事態が発生しうる。この対策としてリテーナ３５の付け根付近には、リテーナ３５とリテーナ挿入口３４の開口縁との間のガタ詰めを行うリブ３５Ａが設けられている。
【００２２】
本体部３０の幅方向両側には、一対のガイド片３６が幅方向に張り出し形成されている。このガイド片３６は、中継ハウジング２１の嵌合凹部２２の内周面における幅方向両側に形成されたガイド溝２７にスライド挿入されるように構成され、両ハウジング１０，２０の嵌合動作を案内可能である。尚、ガイド片３６の前縁には、各サブハウジングＳの積層前における検査工程でサブハウジングＳの種類を識別するための切り欠き３６Ａが形成されている。この検査工程では、各端子金具４０に連なるワイヤハーネスＷが正しく接続されているか否かを検査することができると共に、切り欠き３６Ａをプローブ（図示せず）で検知することによりワイヤハーネスＷに接続された端子金具４０が正しいサブハウジングＳに収容されているか否かを検査することができる。
【００２３】
ガイド片３６の上面には、本体部３０の上面よりも上方に突出する４つの撓み係止片３７が設けられている。４つの撓み係止片３７は、幅方向に対向しつつ前後方向に所定の間隔を空けて配置されている。各撓み係止片３７の突出端には、内側に突出する係止爪３７Ａが設けられ、撓み係止片３７は、係止爪３７Ａ側が幅方向に変位可能に設けられている。一方、第１サブハウジングＳ１〜第５サブハウジングＳ５において各ガイド片３６の下方には、図８に示すように、撓み係止片３７の係止爪３７Ａと係止して上下に隣り合う本体部３０同士を積層状態に保持可能な被係止部３８が形成されている。
【００２４】
＜各サブハウジングの誤積層防止構造＞
手押し部１３は、図７に示すように、各サブハウジングＳの各突片３１を密接した状態で積層することにより構成されている。各突片３１の合わせ面における下面には識別突部Ａがそれぞれ下方に突出して設けられ、同上面にはこの識別突部Ａを内部に受け入れ可能な識別凹部Ｂがそれぞれ設けられている。これらの識別突部Ａ及び識別凹部Ｂは、各サブハウジングＳが正規に積層された状態では、各サブハウジングＳの積層方向に並んで配置されている。このため、各識別突部Ａの間隔及び各識別凹部Ｂの間隔はいずれも同一となっている。
【００２５】
次に、各サブハウジングＳの各識別突部Ａ及び各識別凹部Ｂの詳細な構成について第１サブハウジングＳ１から順に説明する。尚、各識別突部Ａは上から順に、第１識別突部Ａ１、第２識別突部Ａ２、第３識別突部Ａ３、第４識別突部Ａ４、第５識別突部Ａ５とされている。また、各識別凹部Ｂは上から順に、第１識別凹部Ｂ１、第２識別凹部Ｂ２、第３識別凹部Ｂ３、第４識別凹部Ｂ４、第５識別凹部Ｂ５とされている。
【００２６】
第１サブハウジングＳ１の各突片３１の下面には、図１０に示すように、一対の第１識別突部Ａ１が下方に突出して形成されている。第１識別突部Ａ１は、略Ｌ字状の断面形状をなし、Ｌ字の一方の辺が前方に延びる形状をなすと共にＬ字の他方の辺が互いに幅方向内側に延びる形状をなしている。
【００２７】
第２サブハウジングＳ２の各突片３１の上面には、図１１に示すように、一対の第１識別凹部Ｂ１が下方に凹んで形成されている。各第１識別凹部Ｂ１は、第１識別突部Ａ１の断面形状と適合する孔形状をなし、各第１識別突部Ａ１を内部に受け入れ可能である。一方、第２サブハウジングＳ２の各突片３１の下面には、図１２に示すように、一対の第２識別突部Ａ２が下方に突出して形成されている。第２識別突部Ａ２は、第１識別突部Ａ１と同様に、略Ｌ字状の断面形状をなし、Ｌ字の一方の辺が後方に延びる形状をなすと共にＬ字の他方の辺が互いに幅方向内側に延びる形状をなしている。
【００２８】
第３サブハウジングＳ３の各突片３１の上面には、図１３に示すように、一対の第２識別凹部Ｂ２が下方に凹んで形成されている。各第２識別凹部Ｂ２は、第２識別突部Ａ２の断面形状と適合する孔形状をなし、各第２識別突部Ａ２を内部に受け入れ可能である。一方、第３サブハウジングＳ３の各突片３１の下面には、図１４に示すように、一対の第３識別突部Ａ３が下方に突出して形成されている。第３識別突部Ａ３は、第１識別突部Ａ１と同様に、略Ｌ字状の断面形状をなし、Ｌ字の一方の辺が前方に延びる形状をなすと共にＬ字の他方の辺が互いに幅方向外側に延びる形状をなしている。
【００２９】
第４サブハウジングＳ４の各突片３１の上面には、図１５に示すように、一対の第３識別凹部Ｂ３が下方に凹んで形成されている。各第３識別凹部Ｂ３は、第３識別突部Ａ３の断面形状と適合する孔形状をなし、各第３識別突部Ａ３を内部に受け入れ可能である。一方、第４サブハウジングＳ４の各突片３１の下面には、図１６に示すように、一対の第４識別突部Ａ４が下方に突出して形成されている。第４識別突部Ａ４は，第１識別突部Ａ１と同様に、略Ｌ字状の断面形状をなし、Ｌ字の一方の辺が後方に延びる形状をなすと共にＬ字の他方の辺が互いに幅方向外側に延びる形状をなしている。
【００３０】
第５サブハウジングＳ５の各突片３１の上面には、図１７に示すように、一対の第４識別凹部Ｂ４が下方に凹んで形成されている。各第４識別凹部Ｂ４は、第４識別突部Ａ４の断面形状と適合する孔形状をなし、各第４識別突部Ａ４を内部に受け入れ可能である。一方、第５サブハウジングＳ５の各突片３１の下面には、図１８に示すように、一対の第５識別突部Ａ５が下方に突出して形成されている。第５識別突部Ａ５は、略方形の断面形状をなしている。
【００３１】
第６サブハウジングＳ６の各突片３１の上面には、図１９に示すように、一対の第５識別凹部Ｂ５が下方に凹んで形成されている。各第５識別凹部Ｂ５は、第５識別突部Ａ５の断面形状と適合する孔形状をなし、各第５識別突部Ａ５を内部に受け入れ可能である。また、第５識別凹部Ｂ５の一辺の長さは、第１識別突部Ａ１〜第４識別突部Ａ４のＬ字の各辺の長さとほぼ同じかやや大きめに設定されている。このため、各第５識別凹部Ｂ５は、各第５識別突部Ａ５のみならず、各第１識別突部Ａ１〜各第４識別突部Ａ４のいずれも内部に収容可能である。すなわち、第６サブハウジングＳ６は、第２サブハウジングＳ２〜第５サブハウジングＳ５のいずれの代わりにも使用することができる共通のサブハウジングとして機能する。
【００３２】
具体的な組み合わせ例を、図２０〜図２３に示す。図２０は、第１サブハウジングＳ１と第６サブハウジングＳ６とを積層させた状態を示した正面図である。図２１は、第１サブハウジングＳ１と第２サブハウジングＳ２と第６サブハウジングＳ６とを積層させた状態を示した正面図である。図２２は、第１サブハウジングＳ１と第２サブハウジングＳ２と第３サブハウジングＳ３と第６サブハウジングＳ６とを積層させた状態を示した正面図である。図２３は、第１サブハウジングＳ１と第２サブハウジングＳ２と第３サブハウジングＳ３と第４サブハウジングＳ４と第６サブハウジングＳ６とを積層させた状態を示した正面図である。
【００３３】
＜本実施形態の作用＞
本実施形態は以上のような構成であって、続いてその作用を説明する。
まず、ワイヤハーネスＷに接続された端子金具４０を所定のキャビティ３２内に挿入する。全ての端子金具４０の挿入が完了すると、サブハウジングＳの積層を行う。第１サブハウジングＳ１と第２サブハウジングＳ２を積層させると、各第１識別突部Ａ１が各第１識別凹部Ｂ１の内部に収容されることで、両サブハウジングＳ１、Ｓ２の積層が許容される。そして、撓み係止片３７を幅方向外側に撓ませつつ係止爪３７Ａが被係止部３８を乗り越えると共に撓み係止片３７が弾性復帰することで係止爪３７Ａと被係止部３８とが係止する。これにより、第１サブハウジングＳ１と第２サブハウジングＳ２とが積層状態に保持される。
【００３４】
ここで、サブハウジングＳを間違った組み合わせで積層しようとした場合について説明する。例えば、図２４に示すように、第１サブハウジングＳ１と第３サブハウジングＳ３を積層させようとすると、図２５に示すように、各第１識別突部Ａ１の下端部が各第２識別凹部Ｂ２の開口縁部に干渉することで、両サブハウジングＳ１、Ｓ３の積層動作が中断される。これにより、積層作業を行う作業者は誤積層状態であることに気が付いて両サブハウジングＳ１、Ｓ３の積層作業を中止すると共に、正しい組み合わせで積層作業を行うことができる。
【００３５】
このようにして、各サブハウジングＳを正規に積層することによりジョイントコネクタ１０を構成する。積層作業が完了してジョイントコネクタ１０を中継コネクタ２０の嵌合凹部２２に挿入する際には、各ガイド片３６が各ガイド溝２７内に挿入されることで両コネクタ１０，２０の嵌合動作が案内される。ロックアーム１２を下方に撓ませつつロック突部１２Ｄが嵌合凹部２２の内部からロック孔２５内に嵌り込むと共にロックアーム１２が弾性復帰してロック突部１２Ｄとロック孔２５の内周面とが係止する。これにより、ジョイントコネクタ１０と中継コネクタ２０とが抜止状態に保持される。これと同時に、ジョイントコネクタ１０の端子金具４０と中継コネクタ２０の中継端子２４とが導通可能に接続される。反対側のジョイントコネクタ１０についても、上記同様に積層作業及び嵌合作業を行うことで、両ジョイントコネクタ１０の端子金具４０に連なるワイヤハーネスＷ同士が電気的に接続される。
【００３６】
以上のように本実施形態では、以下の効果を奏することができる。
１．サブハウジングＳが正規に積層された場合に識別突部Ａの断面形状の向きと識別凹部Ｂの孔形状の向きとが一致して識別突部Ａが識別凹部Ｂの内部に受け入れられるようにしたから、サブハウジングＳの誤積層を防ぐことができる。
【００３７】
２．既存構造である手押し部１３を利用して識別突部Ａ及び識別凹部Ｂを設けたから、識別突部Ａ及び識別凹部Ｂを別途設ける場合よりもジョイントコネクタ１０を小型化することができる。
【００３８】
３．手押し部１３を構成する突片３１をサブハウジングＳの後部に設けたから、キャビティ３２の内壁を薄肉化することがなく、もってジョイントコネクタ１０の強度低下を招くおそれがない。
【００３９】
４．各識別突部Ａ及び各識別凹部Ｂの間隔を一定としたままこれらの識別突部Ａ及び識別凹部Ｂを積層方向に配置することができるから、ジョイントコネクタ１０が幅方向に大型化するおそれがない。
【００４０】
５．最下段の第６サブハウジングＳ６を共通のサブハウジングとして使用することができるから、図２０〜図２３に示すように、ジョイントコネクタ１０の段数を変更しても最下段のサブハウジングを別途設けなくてもよい。
【００４１】
６．手押し部１３をジョイントコネクタ１０の後部に設けたから、中継コネクタ２０との嵌合の際に、両コネクタ１０，２０が正規嵌合に至るまでしっかりと押し込むことができる。
【００４２】
＜実施形態２＞
次に、本発明の実施形態２を図２６によって説明する。
本実施形態のジョイントコネクタ５０は、実施形態１におけるジョイントコネクタ１０の識別突部Ａ及び識別凹部Ｂの構成を一部変更したものであり、その他の重複する構成、作用及び効果については説明を省略する。
【００４３】
ジョイントコネクタ５０の識別突部Ａは各突片３１の下面にそれぞれ設けられ、前後方向に長い断面略方形の柱状をなしている。一方、識別凹部Ｂは各突片３１の上面にそれぞれ設けられ、識別突部Ａの断面形状と適合する孔形状をなしている。各識別突部Ａは、各サブコネクタＳが正規に積層された場合に各識別突部Ａの間隔が各識別凹部Ｂの間隔と一致することで、各識別凹部Ｂの内部に受け入れられる。このため、各サブコネクタＳが正しく積層されなかった場合には、図２６に示すように、各識別突部Ａの間隔が各識別凹部Ｂの間隔と一致しないため、積層できないようになっている。すなわち、各識別突部Ａの下端部は各識別凹部Ｂが形成されている面（各突片３１の上面）に干渉することで積層作業が中断される。
【００４４】
このように本実施形態では、各サブコネクタＳが正規に積層されない場合には各識別突部Ａの間隔が各識別凹部Ｂの間隔と異なるように設定するだけで各サブコネクタＳの誤積層防止を簡易に行うことができる。すなわち、実施形態１のように識別突部Ａを複雑な断面形状にし、かつ、各合わせ面で異なる向きに設定する必要がなく、識別突部Ａを略方形や円形といった単純な断面形状にすることができる。
【００４５】
＜他の実施形態＞
本発明は上記記述及び図面によって説明した実施形態に限定されるものではなく、例えば次のような実施形態も本発明の技術的範囲に含まれる。
（１）本実施形態では各サブコネクタＳが２〜６段に積層されたジョイントコネクタ１０を例示しているものの、本発明によると、各サブコネクタＳが７段以上に積層されたジョイントコネクタとしてもよい。
【００４６】
（２）実施形態１では手押し部１３をジョイントコネクタ１０の後部において幅方向両側に突出させた形態としているものの、本発明によると、幅方向両側のいずれか一方に突出させた形態としてもよい。
【００４７】
（３）本実施形態では手押し部１３をジョイントコネクタ１０の後部において幅方向に突出させた形態としているものの、本発明によると、後方に突出させた形態としてもよい。
【００４８】
（４）本実施形態では識別突部Ａを各突片３１の下面に形成しているものの、本発明によると、各突片３１の上面に形成してもよい。この点は、識別凹部Ｂについても同様である。
【００４９】
（５）本実施形態では識別突部Ａを断面略Ｌ字状に形成しているものの、本発明によると、正しい組み合わせを識別可能であれば断面略Ｌ字状に限定されず、例えば識別突部Ａを断面略Ｔ字状に形成してもよい。
【００５０】
（６）本実施形態では各合わせ面における各識別突部Ａが左右対称となるように形成しているものの、本発明によると、各識別突部Ａが同じ方向を向くように形成してもよい。
【図面の簡単な説明】
【００５２】
【図１】実施形態１においてジョイントコネクタと中継コネクタとの嵌合前の状態を示した斜視図
【図２】そのジョイントコネクタと中継コネクタとの嵌合後の状態を示した斜視図
【図３】そのジョイントコネクタと中継コネクタとの嵌合後の状態を示した縦断面図
【図４】その中継コネクタの正面図
【図５】その中継コネクタの横断面図
【図６】その各サブコネクタの積層前の状態を示した斜視図
【図７】その各サブコネクタの積層後の状態を示した斜視図
【図８】その各サブコネクタの積層前の状態を示した正面図
【図９】その各サブコネクタの積層前の状態を示した背面図
【図１０】その第１サブハウジングの底面図
【図１１】その第２サブハウジングの平面図
【図１２】その第２サブハウジングの底面図
【図１３】その第３サブハウジングの平面図
【図１４】その第３サブハウジングの底面図
【図１５】その第４サブハウジングの平面図
【図１６】その第４サブハウジングの底面図
【図１７】その第５サブハウジングの平面図
【図１８】その第５サブハウジングの底面図
【図１９】その第６サブハウジングの平面図
【図２０】その２段のサブハウジングを積層させたジョイントコネクタを示した正面図
【図２１】その３段のサブハウジングを積層させたジョイントコネクタを示した正面図
【図２２】その４段のサブハウジングを積層させたジョイントコネクタを示した正面図
【図２３】その５段のサブハウジングを積層させたジョイントコネクタを示した正面図
【図２４】その各サブハウジングの誤積層防止を示した斜視図
【図２５】その各サブハウジングの誤積層防止を示した平面図
【図２６】実施形態２において各サブハウジングの誤積層防止を示した平面図
【符号の説明】
【００５３】
１０，５０…ジョイントコネクタ
１３…手押し部
２１…中継ハウジング（相手側ハウジング）
２４…中継端子（相手側端子金具）
３１…突片
３２…キャビティ
４０…端子金具
Ａ（Ａ１〜Ａ５）…識別突部
Ｂ（Ｂ１〜Ｂ５）…識別凹部
Ｓ（Ｓ１〜Ｓ６）…サブハウジング
【図１】
0004978788.tif 000002
【図２】
0004978788.tif 000003
【図３】
0004978788.tif 000004
【図４】
0004978788.tif 000005
【図５】
0004978788.tif 000006
【図６】
0004978788.tif 000007
【図７】
0004978788.tif 000008
【図８】
0004978788.tif 000009
【図９】
0004978788.tif 000010
【図１０】
0004978788.tif 000011
【図１１】
0004978788.tif 000012
【図１２】
0004978788.tif 000013
【図１３】
0004978788.tif 000014
【図１４】
0004978788.tif 000015
【図１５】
0004978788.tif 000016
【図１６】
0004978788.tif 000017
【図１７】
0004978788.tif 000018
【図１８】
0004978788.tif 000019
【図１９】
0004978788.tif 000020
【図２０】
0004978788.tif 000021
【図２１】
0004978788.tif 000022
【図２２】
0004978788.tif 000023
【図２３】
0004978788.tif 000024
【図２４】
0004978788.tif 000025
【図２５】
0004978788.tif 000026
【図２６】
0004978788.tif 000027